(57)【要約】【課題】使用しないときは収縮により前後に嵩低く格納して場所をとらず、各種車両や歩行者の通行の妨げにならないと共に、前方に伸長させることによって内部に塵収納袋を効率よく収納して鳥獣からの被害を防ぐことができる伸縮ダストボックスを提供する。【解決手段】下部が開放された門形の固定枠２と、この固定枠２の内部に収まる中間３枠及び前扉４を有する前枠４を、固定枠２内に位置する前枠５とこれに追従して中間枠３を前方に引き出すことができるようにクロスリンク６で順次連結し、前記固定枠２と前枠５間の上部と両側を、前枠５と中間枠３の前後の移動を許容するように変形し、固定枠２の内部に中間枠３と前枠５が収まる状態で固定枠２の内側に折り込み収納することができる可撓性の覆い部材８で覆っている。【選択図】図１
2007191302.tif 000002
【特許請求の範囲】
【請求項１】
下部が開放された門形の固定枠と、この固定枠の内部に収まる大きさで下部が開放された門形に形成され、固定枠の内部に収まる位置から前方位置の間を前後に移動可能となる中間枠と、同じく固定枠の内部に収まる大きさで前記中間枠の前位置に配置され、内周の開口が前扉で開閉自在となり、固定枠の内部に収まる位置から前方位置の間を前後に移動可能となる前枠を、固定枠内に位置する前枠とこれに追従して中間枠を前方に引き出すことができるようにクロスリンクで順次連結し、前記固定枠と前枠間の上部と両側に、中間枠の外側を覆うような配置となり、前枠と中間枠の前後の移動を許容するように変形し、固定枠の内部に中間枠と前枠が収まる状態で固定枠の内側に折り込み収納することができる可撓性の覆い部材を設けた伸縮ダストボックス。
【請求項２】
上記固定枠と前枠の間に、固定枠の内部に中間枠と前枠が収まる状態を固定化する係止具を設けた請求項１に記載の伸縮ダストボックス。
【請求項３】
上記固定枠と前枠の間に、前方位置に引き出した前枠を固定化する係止具を設けた請求項１又は２に記載の伸縮ダストボックス。
【請求項４】
上記中間枠と前枠の下部両側に、前後の移動を円滑にする車輪が設けてある請求項１乃至３の何れかに記載の伸縮ダストボックス。
【請求項５】
上記覆い部材が、内部を透視可能なメッシュ状部材で形成されている請求項１乃至４の何れかに記載の伸縮ダストボックス。
【発明の詳細な説明】
【技術分野】
【０００１】  この発明は、使用しないときは前後に嵩低く格納して場所をとらないと共に、前方に伸長させることによって内部に投棄ダストを効率よく収納することができる伸縮ダストボックスに関する。
【背景技術】
【０００２】  例えば、家庭等で発生したダスト（以下塵という）の一般的な処理は、塵をビニール等の塵収納袋に入れ、これを塵収集日の収集時間までに、予め指定された塵収集場所に運んで置き、塵収集業者がこれを回収していくものであり、塵収集場所としては、大規模集合住宅の場合、敷地内の適当なスペースに集積容器を設置して対応しているが、普通の戸建て住宅や商店のような場合には、街路等の適当な場所が塵収集場所として指定されたり、自宅の前に塵収納袋を出すようにしている。【０００３】  ところで、生塵を含む塵をビニール等の塵収納袋に入れ、これを塵収集場所や自宅の前に放置しておくと、生塵の存在を察知した鳥獣、例えば、カラスや犬猫が集まり、塵収納袋をつついたり咬むことによって破り、内部の生塵を取り出して食することになり、このため、生塵を周囲に撒き散らして塵収集場所を汚損するという事態が発生し、これを放置すると極めて非衛生であり、塵回収後に塵収集場所を掃除しなければならず、手間がかかるという問題がある。【０００４】  従来、このような塵収納袋の鳥獣による破壊発生を防ぐため、塵収集場所に、鳥獣によって破壊されることのない強度を有し、投入口を蓋で開閉可能とした箱型等のダストボックスを設置し、塵回収日の前日や当日に、各自が塵収納袋をこのダストボックス内に投入することにより、塵収集に備えるような方法が採用されている。
【発明の開示】
【発明が解決しようとする課題】
【０００５】  しかしながら、上記のような箱型等のダストボックスは、使用する世帯数に合わせて容積が設定されるが、塵回収日の前日や当日にのみ必要で、他の日は空のままで放置されることになり、このため、塵回収日の前日や当日以外は空のままで放置されるため、街路等に大きなスペースを占有することになり、各種車両や歩行者の通行の妨げになる状態が常に発生するという問題がある。【０００６】  そこで、この発明の課題は、使用しないときは前後に嵩低く格納して場所をとらず、各種車両や歩行者の通行の妨げにならないと共に、前方に伸長させることによって内部に塵収納袋を効率よく収納して鳥獣からの被害を防ぐことができる伸縮ダストボックスを提供することにある。
【課題を解決するための手段】
【０００７】  上記のような課題を解決するため、この発明は、下部が開放された門形の固定枠と、この固定枠の内部に収まる大きさで下部が開放された門形に形成され、固定枠の内部に収まる位置から前方位置の間を前後に移動可能となる中間枠と、同じく固定枠の内部に収まる大きさで前記中間枠の前位置に配置され、内周の開口が前扉で開閉自在となり、固定枠の内部に収まる位置から前方位置の間を前後に移動可能となる前枠を、固定枠内に位置する前枠とこれに追従して中間枠を前方に引き出すことができるようにクロスリンクで順次連結し、前記固定枠と前枠間の上部と両側に、中間枠の外側を覆うような配置となり、前枠と中間枠の前後の移動を許容するように変形し、固定枠の内部に中間枠と前枠が収まる状態で固定枠の内側に折り込み収納することができる可撓性の覆い部材を設けた構成を採用したものである。【０００８】  上記固定枠と前枠の間に、固定枠の内部に中間枠と前枠が収まる状態を固定化する係止具と、前方位置に引き出した前枠を固定化する係止具を設けた構造とすることができる。【０００９】  また、上記中間枠と前枠の下部両側に、前後の移動を円滑にする車輪が設けるようにしたり、上記覆い部材が、内部を透視可能なメッシュ状部材で形成されているようにすることができる。【００１０】  ここで、上記固定枠と前枠及び中間枠は、各種金属パイプ等を用いて形成され、中間枠は容積に応じて複数を用い、中間枠の両側をクロスリンクで互に連結すると共に、最後部中間枠と固定枠を、また、最前部中間枠と前枠をクロスリンクで互に連結することにより、固定枠に対して前枠と中間枠が連動して前後に伸縮することになる。
【発明の効果】
【００１１】  この発明によると、収縮状態で、門形の固定枠内に、中間枠と前枠が収まるようにしたので、使用しないときは前後に嵩低く格納して場所をとらず、各種車両や歩行者の通行の妨げにならないので、設置場所の制約が少なくなると共に、前枠とこれに追従して中間枠を前方に引き出すことによって内部に塵収納袋を収納ることができ、収納した塵収納袋を鳥獣の被害から防ぐことにより、塵回収後に塵収集場所を掃除しなければならないという手間を省くことができ、塵回収日の前日や当日にのみ必要となるダストボックスとして極めて有用である。【００１２】  また、固定枠の内部に中間枠と前枠が収まる状態と、中間枠と前枠の引き出し状態を固定化することができるので、安全性に優れていると共に、車輪によって中間枠と前枠の移動が円滑となり、また、覆い部材が内部を透視可能なメッシュ状部材で形成されているので、収納した塵収納袋が外部から見えるので安心である。
【発明を実施するための最良の形態】
【００１３】  以下、この発明の実施の形態を図示例に基づいて説明する。【００１４】  図示のように、伸縮ダストボックス１は、下部が開放された門形の固定枠２と、この固定枠２の内部に収まる大きさで下部が開放された門形に形成され、固定枠２の内部に収まる位置から前方位置の間を前後に移動可能となる中間枠３と、同じく固定枠２の内部に収まる大きさで前記中間枠３の前位置に配置され、内周の開口が前扉４で開閉自在となり、固定枠２の内部に収まる位置から前方位置の間を前後に移動可能となる矩形状の前枠５を有している。【００１５】  上記固定枠２と中間枠３及び前枠５は、アルミや鋼管等の各種金属パイプ等を用いて形成され、固定枠２は、前部枠２ａとその後方に少し距離を置いて位置する後部枠ｂを横棧２ｃで結合して形成され、中間枠３は容積に応じて複数を用い、図示の場合、２個の中間枠３の両側をクロスリンク６で互に連結すると共に、最後部中間枠３と固定枠２における後部枠２ｂの両側を、また、最前部中間枠３と前枠５の両側をそれぞれクロスリンク６で互に連結することにより、固定枠１に対して前枠５を前後に移動させることにより、この前枠５と各中間枠３が連動して前後に伸縮動するようになっている。【００１６】  図３（ｂ）のように、上記前枠５を固定枠２の前部枠２ａ内に収まるまで押し込むと、上記各クロスリンク６は折畳まれて固定枠２の前部枠２ａと後部枠ｂ間に収まり、各中間枠３も同様に固定枠２の前部枠２ａと後部枠ｂ間に収まることになる。【００１７】  上記各クロスリンク６は、図３（ａ）のように、中間のクロス部分をピン６ａで枢止結合し、下端部を後部枠ｂや中間枠３、前枠５にピン６ｂで枢止結合し、上端部はクロスリンク６の長さ方向に設けた長孔６ｃを介してピン６ｄで後部枠ｂや中間枠３、前枠５に枢止結合し、前枠５と各中間枠３の連動した前後の伸縮動を可能にしている。【００１８】  上記中間枠３と前枠５の下部両側は、前後の移動を円滑にする車輪７で支持すると共に、少なくとも前記固定枠２と前方に引き出した前枠５間の上部から両側に、中間枠３の外側を覆うような配置され、前枠５と中間枠３の前後の移動を許容するように変形可能となり、固定枠２の内部に中間枠３と前枠５及び各クロスリンク６が収まる状態で、固定枠２の内側に折り込み収納することができる、可撓性で内部を透視可能なメッシュ状部材からなる覆い部材８が設けられている。【００１９】  この覆い部材８は、固定枠２における後部枠ｂの後面にも設け、後部開口を閉鎖するようにしてもよい。【００２０】  上記前枠５は、固定枠２の内部に収まる横長の矩形枠に形成され、その内周の開口が両側に蝶番４ａで取付けた観音開きの前扉４で開閉自在となり、両側の前扉４は枠体にパンチングメタルや金網等を張設して形成され、突き合わせ縁に設けた一対の係止具９によって閉鎖状態を固定化することができるようになっている。【００２１】  また、図２のように、上記固定枠２の前部枠２ａと前枠５の前面両側に、固定枠２の内部に中間枠３と前枠５が収まる状態を固定化する係止具１０と、図３（ａ）のように、前方位置に引き出した前枠５を固定枠２の前部枠２ａに対して固定化するため、一端が前枠５の側面上部にピン１１ａで枢止され、他端を固定枠２の前部枠２ａに設けたピン１１ｂに係止すると共に、前枠５を移動させる場合は、前枠５の側面に垂れ下がり状となるよう収納することができる長い係止具１１が両側に設けられている。【００２２】  この発明の伸縮ダストボックス１は、上記のような構成であり、塵収集場所に設置し、固定枠２の両側下端をアンカー等で地面に固定する。【００２３】  なお、固定枠２の背面は背板等を張設して閉鎖してもよく、背面が開放している場合、塵収集場所の建物における塀や壁、道路のガードレールや適宜構造物等に固定枠２の背面を接近させて配置し、背面をこれらの部材によって閉鎖状態とすればよい。【００２４】  伸縮ダストボックス１を使用しないときは、図３（ｂ）のように、固定枠２内に向けて前枠５を押し込み、固定枠２内に前枠５と中間枠３及び各クロスリンク６を収納し、覆い部材８を固定枠２と中間枠３及び前枠５の間に折り込むようにして固定枠２内に収め、前枠５を両側の係止具１０で固定枠２に係止すればよく、この状態で固定枠２の前方に突出物はなく、伸縮ダストボックス１は全体が固定枠２における前枠部２ａと後枠部２ｂの前後の厚み寸法に収縮し、全体が前後方向に嵩低くなり、従って、使用しないときは前後に嵩低く格納できて場所をとらず、自動車や自転車等の各種車両や歩行者の通行の妨げにならないと共に、このように、使用しないときに、前後方向に嵩低くなるので設置場所の制約が少なくなる。【００２５】  次に、塵を収納する場合は、両側の係止具１０を外して前枠５を前方に引き出すと、クロスリンク６を介して後続位置にある中枠３が同調して引き出され、前枠５と中枠３の配置が前方に伸長し、これと同時に覆い部材８が前枠５によって固定枠２内から引き出され、固定枠２と前枠５間の上部と両側を中間枠３の上から外側を覆う状態となる。【００２６】  前枠５を所定の前方位置に引き出すと、両側の係止具１１でこの前枠５を固定枠２に固定化すれば、図１と図３（ａ）のように、固定枠２と前枠５の間で、覆い部材８の内側に塵の収納空間を形成することができ、この収納空間に塵の入った塵収納袋を入れるには、係止具９を外して前枠５の前扉４を開けばよく、塵収納袋を入れた後は前扉４を閉じて係止具９を係止すればよい。【００２７】  上記のように、伸縮ダストボックス１は、前枠５と中間枠３を前方に引き出して塵の収納空間を形成した状態で、塵の収納空間が覆い部材８によって覆われ、これによって塵の入った塵収納袋の鳥獣からの被害を防ぐことができると共に、覆い部材８が内部を透視可能なメッシュ状部材で形成されているので、収納した塵収納袋が外部から見えて収納量が確認できるので便利であり、不審物も発見可能となり安心である。【００２８】  伸縮ダストボックス１内の塵収納袋を回収するときは、前扉４を開いて取出せばよく、塵回収後は、前扉４を閉じ、係止具１１を外して前枠５を固定枠２内に押し込めばよく、クロスリンク６の作用で中枠３と前枠５は前後の間隔が収縮しながら後退動し、覆い部材８を固定枠２内に収まるように折り込みながら中間枠３と前枠５を固定枠２内に収め、係止具１０で前枠５を固定枠２に係止すれば、図３（ｂ）のように、固定枠２の前に突出物のない収縮���納状態になる。
【図面の簡単な説明】
【００２９】
【図１】この発明に係る伸縮ダストボックスの前枠と中枠を引き出した塵収納状態時の斜視図
【図２】伸縮ダストボックスの正面図
【図３】（ａ）は伸縮ダストボックスの前枠と中枠を引き出した塵収納状態時の縦断側面図、（ｂ）は伸縮ダストボックスの前枠と中枠を固定枠内に収めた収縮状態時の縦断側面図
【符号の説明】
【００３０】１        伸縮ダストボックス
２        固定枠
３        中間枠
４        前扉
５        前枠
６        クロスリンク
７        車輪
８        覆い部材
９        係止具
１０      係止具
１１      係止具
【図１】
2007191302.tif 000003
【図２】
2007191302.tif 000004
【図３】
2007191302.tif 000005